(57)【要約】【課題】  本発明はシール部と非シール部を有するカバーフィルムを有するＰＴＰシートの検査に用いて好適であり、生産ラインにおいて全数検査が可能なＰＴＰシートの検査装置と検査方法の提供を目的とする。【解決手段】  本発明は、フィルム部の裏面側のカバーフィルムに赤外光または近赤外光を照射可能な光源１０と、カバーフィルムの反射光を受ける撮像手段３と、カバーフィルムからの反射光のうち、赤外光または近赤外光を透過させるフィルタ２７と、該撮像手段から出力される画像信号を処理する画像処理装置５と、前記画像処理装置から得られる画像イメージデータを分析してカバーフィルムのシール部と非シール部に区分けして画像情報を分析する検出手段とを備えてなる。【選択図】  図１
2005291939.tif 000002
【特許請求の範囲】
【請求項１】
フィルム部と、該フィルム部の一部をその表面側に突出させ該フィルム部の裏面側に開口部を設けて該フィルム部に間欠的に形成された複数のポケット部と、前記複数のポケット部の開口部を塞ぐように前記フィルム部の裏面側にシールされてなるカバーフィルムとを具備してなるＰＴＰシートのシール状態の検査装置であり、
前記フィルム部の裏面側のカバーフィルムにその外面側から赤外光または近赤外光を照射可能な光源と、前記カバーフィルムの外面からの反射光を受けて映像信号を発生させる撮像手段と、該撮像手段とカバーフィルムの間に設置されて先のカバーフィルムからの反射光のうち、赤外光または近赤外光を透過させて前記カバーフィルム上の印刷部の色に起因する反射光を弱化あるいは消去するフィルタと、該撮像手段から出力される画像信号を処理する画像処理装置と、前記画像処理装置から得られる画像イメージデータを分析して前記カバーフィルムのシール部と非シール部に区分けして画像情報の演算処理を行い、前記シール部においてはシール不良、傷、しわ、汚れなどのシール欠陥部を検出し、前記非シール部においては非シール部自体の傷、しわなどの不良部を検出する検出手段と、
前記画像処理装置から得られる画像イメージデータを分析して前記カバーフィルムのポケット部とシール部に区分けして各部における輝度積算値を比較し、その比較値の大小により前記シール部の欠陥を判定する判定手段の少なくとも一方を備えたことを特徴とするＰＴＰシートの検査装置。
【請求項２】
複数のＰＴＰシートを経時的に検査する場合に用いられ、撮像装置が画像処理装置に送る画像イメージデータの特定の部分の輝度を検査毎に測定して記憶し、先に測定した特定部分の輝度と後に検査した特定部分の輝度の比較を行って、それらの比較値が規定範囲外であれば前記光源の輝度を補正する光源輝度補正手段が設けられてなることを特徴とする請求項１に記載のＰＴＰシートの検査装置。
【請求項３】
前記撮像装置から前記画像処理装置に送られた画像イメージデータを構成する複数の画素情報において前記ポケット部からの画素情報に含まれる欠陥情報と前記シール部からの画素情報に含まれる欠陥情報が、各部毎に、一定値以上の連続データである場合にのみ不良と判定する判定部を有したことを特徴とする請求項１または２に記載のＰＴＰシートの検査装置。
【請求項４】
フィルム部と、該フィルム部の一部をその表面側に突出させ該フィルム部の裏面側に開口部を設けて該フィルム部に間欠的に形成された複数のポケット部と、前記複数のポケット部の開口部を塞ぐように前記フィルム部の裏面側にシールされてなるカバーフィルムとを具備してなるＰＴＰシートのシール状態を検査する方法であり、
前記フィルム部の裏面側のカバーフィルムにその外面斜め方向側から赤外光または近赤外光を照射し、前記カバーフィルムの外面からの反射光のうち、近赤外光または赤外光のみを前記カバーフィルムに対向させて設置した撮像手段で受けて映像信号を発生させ、この映像信号から得られる画像イメージデータを前記カバーフィルムのシール部と非シール部に区分けして演算処理し、前記シール部においてはシール不良、傷、しわ、汚れなどのシール欠陥部を検出し、前記非シール部においては非シール部自体の傷、しわなどの不良部を検出する方法か、
前記画像イメージデータを前記カバーフィルムのポケット部とシール部に区分けして演算処理し、各部における輝度積算値を比較し、その比較値の大小により前記シール部の欠陥を判定する方法の少なくと一方を行うことを特徴とするＰＴＰシートの検査方法。
【発明の詳細な説明】
【技術分野】
【０００１】
本発明は、医薬品、食品などで用いられる錠剤やカプセル剤等が収納されるＰＴＰ（プレススルーパック）シートのシール面を検査する装置に関し、更に詳しくは、ポケットが形成される樹脂シートまたはアルミシートなどのフィルム部に、蓋材とされるアルミフィルムなどのカバーフィルムを熱及びまたは圧力により接着して成るＰＴＰシートの製造に際し、前記カバーフィルムの外面の不良を検出することができる検査装置に関する。
【背景技術】
【０００２】
近年老人や子供など使用者の咀嚼形態や嗜好性に合わせて剤形選択ができるように、医薬品、食品分野を中心に錠剤、カプセル、グミ、チップなど様々な剤形の拡大が進んでいる。
それとともに携帯性に優れ、個々に内容物が密閉され、必要な時に必要な量利用できるＰＴＰ（プレススルーパック）シート包装は安全、且つ内容物の安定性に優れた包装形態として幅広く利用されている。
このＰＴＰシートに使用されるアルミフィルムは、ＰＴＰシート製造技術やアルミフィルムの生産技術の進歩、及び企業におけるコストダウン対応から年々薄手のフィルムの利用が増えてきている。これにより僅かなＰＴＰシートのアルミ面のキズ、シワ、シール不良、ピンホールなどによりリークが発生し、内容物の変色、変敗等の品質不良へつながる可能性が高くなってきている。  
【０００３】
ＰＴＰシートの検査装置として、例えば以下の特許文献１には、錠剤やカプセル剤等が収納されるＰＴＰシートのポケット面を照明する照明装置と、同じくポケット面を撮像するためのカメラ装置とを備え、シール部位に形成されたメッシュ状の模様又はアルミ箔にしわが発生している場合には該しわを含む画像を撮り込み、この画像に形成されたメッシュ状の模様又はアルミ箔のしわを基準となるメッシュ状の模様又はアルミ箔のしわをと比較してＰＴＰシートのシール状態を判定する装置が記載されている。
また、以下の特許文献２には、包装用フィルムに形成されたポケット部に錠剤が収容され、ポケット部を塞ぐようにカバーフィルムが取着されるＰＴＰシートの製造に用いられ、包装用フィルム側から前記カバーフィルムに対して赤外光を含む光を照射する照明手段と、赤外光に感度を有し、前記照明手段により照射された面を撮像する撮像手段と、前記撮像手段から出力される映像信号を処理する画像処理装置とを備えてなり、前記画像処理装置が、前記映像信号によって得られる画像をイメージデータを用いて、前記カバーフィルムの撮像面に付された識別情報を無視した上で、前記カバーフィルム上の異常を判定する機能を有すると記載されている。
【特許文献１】特開平１０−２６７８６５号公報
【特許文献２】特開２００３−２１５０４７号公報
【発明の開示】
【発明が解決しようとする課題】
【０００４】
しかしながら従来のＰＴＰシートの検査装置では、ＰＴＰシートのポケットに収納された錠剤やカプセル剤の表面の検査も同時に行う等の理由から、ＰＴＰシートのポケット面側から照明、撮像、検査するため、錠剤やカプセル剤裏の未シール部分にあたるアルミ面の検査は出来なかった。
従来より、内容物の品質を確保する為にＰＴＰシートのリークの有無を確認する方法が知られている。具体的には、ＰＴＰシートを一度水中で減圧し気泡発現の有無を確認する方法、もしくは所定の容器にＰＴＰシートを入れ、通常気圧条件から真空条件へ減圧する際生じるポケット内部の膨張性を確認する方法などが挙げられる。しかしながらこれらの確認方法では一部商品の抜き取り検査には対応可能であるが、生産ライン上での全数検査を行うことは不可能であった。
【０００５】
一方、リークにつながる様なシール不良の確認方法として、光源からＰＴＰシートのアルミフィルム面へ投光し、反射した光を可視光テレビカメラで撮像し、シール部のシワを検出する装置が知られている。
しかしながらこの様な検査装置の問題点として、第１に、照明強度やハレーションによる反射強度の影響を直接受けてしまい検査精度が落ちてしまうと言った問題があった。
第２に、近年社会的な環境への対応及び使用者配慮への対応から、廃棄方法の表記、使用方法の表記、商品名の表記など、アルミフィルム面へ多くの印刷を施すことが多い。しかしながら従来の検査装置では、検査結果が印刷色の影響を受けてしまう為、印刷部分を検査領域から外して検査しなければならず、わずかに限られた領域しか検査出来ないといった問題があった。
第３に、本来内容物の安定性はリークの危険性のある全ての不良品に対し検査することが好ましいが、１枚のＰＴＰシートの中にはアルミフィルムの熱接着及び／または圧力接着されたシール部と、アルミフィルムの接着されていないポケット部があり、同時に一つのカメラで得られた撮像により検査することが困難であった。
よって従来のシール検査装置は、熱接着及び／または圧力接着したシール部のシワ、よれなどが検査対象であり、ポケット部の検査については充分に満足する性能を有するものが無かった。
【０００６】
本発明者らは前記課題を解決するために鋭意検討した結果、光源から照射する光の波長と、光源から照射する光の進行角度と、ワークとの位置関係と、検査精度を向上させるための搬送部の色と、撮像するカメラの特徴、並びにその他種々の条件を所定の設定に合わせることにより従来困難であったリーク性に関わるカバーフィルムを有するＰＴＰシートの全数検査が可能になることを見出し、本発明を完成した。
本発明は上記事情に鑑みてなされたもので、シール部と非シール部を有するカバーフィルムを有するＰＴＰシートの検査に用いて好適であり、シール部と非シール部の両方を同時に正確かつ確実に検査することができるとともに、生産ラインにおいて全数検査が可能なＰＴＰシートの検査装置の提供を目的とする。
【課題を解決するための手段】
【０００７】
上記目的を達成するために、本発明は以下の構成を採用した。
本発明の検査装置は、フィルム部と、該フィルム部の一部をその表面側に突出させ該フィルム部の裏面側に開口部を設けて該フィルム部に間欠的に形成された複数のポケット部と、前記複数のポケット部の開口部を塞ぐように前記フィルム部の裏面側にシールされてなるカバーフィルムとを具備してなるＰＴＰシートのシール状態の検査装置であり、
前記フィルム部の裏面側のカバーフィルムにその外面側から赤外光または近赤外光を照射可能な光源と、前記カバーフィルムの外面からの反射光を受けて映像信号を発生させる撮像手段と、該撮像手段とカバーフィルムの間に設置されて先のカバーフィルムからの反射光のうち、赤外光または近赤外光を透過させて前記カバーフィルム上の印刷部の色に起因する反射光を弱化あるいは消去するフィルタと、該撮像手段から出力される画像信号を処理する画像処理装置と、前記画像処理装置から得られる画像イメージデータを分析して前記カバーフィルムのシール部と非シール部に区分けして画像情報の演算処理を行い、前記シール部においてはシール不良、傷、しわ、汚れなどのシール欠陥部を検出し、前記非シール部においては非シール部自体の傷、しわなどの不良部を検出する検出手段と、
前記画像処理装置から得られる画像イメージデータを分析して前記カバーフィルムのポケット部とシール部に区分けして各部における輝度積算値を比較し、その比較値の大小により前記シール部の欠陥を判定する判定手段のうち、少なくとも１つを備えたことを特徴とする。
【０００８】
本発明において、先の輝度積算値の総和を基にＰＴＰシートの良否を判定しても良い。  本発明において、前記光源から発せられる近赤外光または赤外光の波長として８００〜９００ｎｍの範囲を選択することが好ましい。
本発明において、前記カバーフィルムの外面に光を照射する光源からの光の進行角度を前記カバーフィルムの外面に対して±１５゜の範囲内に設定することが好ましい。
本発明において、前記光源と前記検査対象のＰＴＰシートとの高さ方向の間隔を２０ｍｍ〜６０ｍｍの範囲内としてなることが好ましい。
本発明において、前記カバーフィルムの非シール部が前記ポケット部の開口部を覆う部分であり、前記撮像手段が前記非シール部と前記シール部を同時に捉えて撮影するＣＣＤカメラでを用いることができる。
【０００９】
本発明において、複数のＰＴＰシートを経時的に検査する場合に用いられ、撮像装置が画像処理装置に送る画像イメージデータの特定の部分の輝度を検査毎に測定して記憶し、先に測定した特定部分の輝度と後に検査した特定部分の輝度の比較を行って、それらの比較値が規定範囲外であれば前記光源の輝度を補正する光源輝度補正手段が設けられてなることが好ましい。
【００１０】
本発明において、前記ＰＴＰシートが所定の大きさにトリミングされた後のシートである場合に適用され、前記フィルム部の被計測位置を前記フィルム部の基点位置から割り振り、前記搬送装置によりＰＴＰシートの縦横方向であるＸ方向またはＹ方向のずれと、ＰＴＰシートの中心を基準とする時計方向であるφ方向のずれを画像情報処理の際に補正する手段を備えてなることが好ましい。
本発明において、前記撮像装置から前記画像処理装置に送られた画像イメージデータを構成する複数の画素情報において前記ポケット部からの画素情報に含まれる欠陥情報と前記シール部からの画素情報に含まれる欠陥情報が、各部毎に、一定値以上の連続データである場合にのみ不良と判定する判定部を有することが好ましい。
【００１１】
本発明の検査方法においては、フィルム部と、該フィルム部の一部をその表面側に突出させ該フィルム部の裏面側に開口部を設けて該フィルム部に間欠的に形成された複数のポケット部と、前記複数のポケット部の開口部を塞ぐように前記フィルム部の裏面側にシールされてなるカバーフィルムとを具備してなるＰＴＰシートのシール状態を検査する方法であり、前記フィルム部の裏面側のカバーフィルムにその外面斜め方向側から赤外光または近赤外光を照射し、前記カバーフィルムの外面からの反射光のうち、近赤外光または赤外光のみを前記カバーフィルムに対向させて設置した撮像手段で受けて映像信号を発生させ、この映像信号から得られる画像イメージデータを前記カバーフィルムのシール部と非シール部に区分けして演算処理し、前記シール部においてはシール不良、傷、しわ、汚れなどのシール欠陥部を検出し、前記非シール部においては非シール部自体の傷、しわなどの不良部を検出する方法と、前記画像イメージデータを前記カバーフィルムのポケット部とシール部に区分けして演算処理し、各部における輝度積算値を比較し、その比較値の大小により前記シール部の欠陥を判定する方法の少なくとも一方を行って検査することを特徴とするものでも良い。
【発明の効果】
【００１２】
本発明ではフィルム部の裏面側のカバーフィルムにその外面側から赤外光または近赤外光を照射し、その反射光を受けて撮像手段で映像信号を発生させ、フィルタにより赤外光または近赤外光を選択透過させて画像処理装置に画像イメージデータを生成させ、これを分析してカバーフィルムの不良を検査するので、カバーフィルム上の印刷部の色に起因する反射光を弱化あるいは消去して検知精度を向上できる。また、カバーフィルムのシール部と非シール部に区分けして画像情報の演算処理を行うので、シール部のシール不良、傷、しわ、汚れなどのシール欠陥部を検出し、非シール部においては非シール部自体の傷、しわなどの不良部を検出することができる。
【００１３】
本発明では、カバーフィルムのポケット部とシール部に区分けして各部における輝度積算値を比較し、その比較値の大小により前記シール部の欠陥を判定する判定手段とを備えたので、輝度積算値の利用という極めて容易な手段により簡便かつ正確にＰＴＰシートの検査ができる。
また、カバーフィルムの印刷部から反射光に影響されて検査精度に影響する情報を除去するために、赤外光または近赤外光を照射することが有効となる。その場合、用いる光の波長は８００〜９００ｎｍの範囲が望ましい。カバーフィルムに照射する光の進行角度をカバーフィルムの外面に対して±１５゜の範囲とすることで、カバーフィルム全面の輝度を一定に保ちつつ傷などの欠陥に起因する影の成分を浮き立たせることができ、より正確な検査ができる。
【００１４】
ＰＴＰシートと照明装置との高さ方向の距離は２０〜６０ｍｍの範囲が望ましく、この範囲であれば、カバーフィルム全面の輝度を一定に保ちつつ傷などの欠陥に起因する影の成分を浮き立たせることができ、より正確な検査ができる。  
画像処理装置での画像イメージデータの特定の部分の輝度を検査毎に測定して記憶し、先に測定した特定部分の輝度と後に検査した特定部分の輝度の比較を行って、それらの比較値が規定範囲外であれば前記光源の輝度を補正する光源輝度補正手段を設けることで、検査の度にＰＴＰシートに適正な光量の光を確実に照射でき、温度変動や照明装置の経時変化によらずに常に安定した輝度を得ながら測定ができる。
検査時のＰＴＰシートの位置調整を行いながら検査することで常に適切な測定位置を確保することができ検査精度の向上に寄与する。
また、撮像装置から画像処理装置に送られた画像イメージデータにおいて一定の欠陥情報が連続データの場合のみ不良と判断するようにすれば、ゴミや塵の付着などの外部要因による検査精度の低下を防止できる。
【発明を実施するための最良の形態】
【００１５】
以下に本発明の一実施形態を図面を用いて説明する。
図１は本発明に係るＰＴＰ（プレススルーパック）シートの検査装置の第１実施形態の構成図を示すもので、この形態のＰＴＰシートの検査装置は、近赤外光または赤外光を発光可能な照明装置１と、この照明装置１に接続された照明用電源２と、前記照明装置１の上方に設置されたＣＣＤカメラ３（撮像手段）と、これら照明用電源２とＣＣＤカメラ３に接続された画像処理装置５と、この画像処理装置５に接続されたモニタ装置６と、前記照明用電源２と画像処理装置５に接続されたプログラマブルコントローラ（ＰＬＣ）７とを主体として構成されている。
前記照明装置１は、近赤外光または赤外光を発光可能なＬＥＤなどの発光素子を複数個備えた横長型の照明灯（光源）１０を４基、矩形枠状に個々に水平に配置してなる形状の照明装置とされている。これらの照明灯１０は、互いの対向する内側の面を発光面１０Ａとして、各発光面１０Ａを内側に向けて照明光を照射できる構成とされ、検査対象とされる被検査物（ＰＴＰシート）１２を搬送可能なラインの上方などに水平に設置されている。図１ではＰＴＰシート１２の搬送ラインの記載を略したが、その搬送ラインの搬送方向を矢印Ｒで示しておく。従って検査対象のＰＴＰシート１２は照明装置１の各照明灯１０がその内側に形作る矩形状の空間の若干下方を搬送ラインの搬送路に沿って図１の矢印Ｒ方向に水平方向に移動して通過できるようにされている。
【００１６】
図２（Ａ）、（Ｂ）に照明装置１の照明灯１０と被検査物１２との相対位置関係について拡大して示す。この形態の装置において検査するのは、図２あるいは図３に示す形状の予め所定の大きさに切断されたトリミング済みのＰＴＰシート（被検査物）１２であり、この形態でのＰＴＰシート１２は、樹脂製の平板状の透明のフィルム部１３と、該フィルム部１３の一部をその表面側にドーム状に突出させ、該フィルム部１３の裏面側に開口部１５を設けて該フィルム部１３に間欠的に形成された複数の（図２、図３の例では５個ずつ２列、合計１０個の）透明のポケット部１６と、前記複数のポケット部１６の開口部１５を塞ぐように前記フィルム部１３の裏面側にシールされてなるアルミニウム箔などの金属箔からなるカバーフィルム１７とを具備してなる。従ってＰＴＰシート１２のカバーフィルム１７において開口部１５を覆った部分が非シール部ａ、フィルム部１３を覆ってシールされた部分がシール部ｂに相当する。
なお、ポケット部１６の内部には錠剤等の収容物が収納されているが図では記載を略している。
【００１７】
前記ＰＴＰシート１２と各照明灯１０の位置関係はこの実施形態では図２に示すように、ポケット部１６を下に向けてほぼ水平に搬送ラインに沿ってＲ方向に搬送されるＰＴＰシート１２に対して、その若干上方に各照明灯１０が位置されるように、かつ、各照明灯１０が囲んで形作る矩形状の空間の中央下方にＰＴＰシート１２が位置した場合に（図２（Ｂ）参照）、各照明灯１０の発光面１０ＡとＰＴＰシート１２の周端部との高さ方向（垂直方向）の距離が２０〜６０ｍｍの範囲に入るように設定される。
先の距離が２０ｍｍ未満であると、ＣＣＤカメラ３で後述する如くＰＴＰシート１２の裏面側を撮像した場合、ＰＴＰシート１２の裏面側の欠陥は際だって確認しやすいが、ＰＴＰシート１２のエッジ部分と中央部分との明るさに差異を生じ過ぎて明るさにバラツキが生じ、逆に６０ｍｍを超える距離とするとＰＴＰシート１２の裏面全体を均一な明るさにはしやすいが、傷等の欠陥が目立たなくなり、検査精度が低下する。
また、図２（Ｂ）に示すようにＰＴＰシート１２の裏面を照射する各照明灯１０からの照射角度はＰＴＰシート１２の裏面のカバーフィルム１７に対して水平方向から０°を含めて±１５゜、合計３０°の角度範囲とすることが好ましい。カバーフィルム１７に対して垂直方向である真上側からの照射では、カバーフィルム１７の裏面に印刷されたインクの影響及び反射光が強くなりすぎてハレーションを起こしやすく、ハレーションを起こすと満足な検査精度が得られなくなるおそれがある。
【００１８】
先の照明装置１に用いるＬＥＤなどの光源は、赤外光の中でも近赤外光に属する波長８００〜９００ｎｍの光を発光できるものであることが望ましい。この範囲の中でも特に８５０ｎｍ付近の一定波長の光を照射できるＬＥＤ光源が望ましいが、勿論その他の光源でも差し支えない。ここで７００ｎｍ未満の可視光を光源とした場合は、ＰＴＰシート１２の裏面側のカバーフィルム１７に印刷されている印刷部のインクの色の影響を受けやすく、検査精度が低下する。また、１０００ｎｍよりも長い波長の光である場合は、カバーフィルム１７からの反射光が弱くなりやすく、全体に暗い映像しか得られなくなり、充分な精度の検査ができなくなるおそれがある。
【００１９】
次に、ＣＣＤカメラ３は、先の４基の照明灯１０が形作る矩形枠状の空間部の下方を通過するＰＴＰシート１２の裏面ほぼ全面を撮像可能で、カバーフィルム１７の外面からの反射光を受けて画像信号を発生させ、その画像信号を制御装置５に送ることができるものである。
また、ＣＣＤカメラ３はＰＴＰシート１２の裏面ほぼ全部を撮像可能であるが、それに加えてＰＴＰシート１２の周辺部外側部分も若干撮像するので、ＰＴＰシート１２を搬送するための搬送ラインのシート設置面は黒色などの暗色に着色しておくことが好ましい。ここで暗色とはアルミニウム箔などからなるカバーフィルム１７をＣＣＤカメラ３で撮像した場合の表示画面上での色がカバーフィルム１７の色よりも暗い（黒）画面として現れることを示す。
即ち、ＰＴＰシート１２の裏面側のカバーフィルム１７は通常はアルミニウム箔からなり、反射率が高く白く輝くので、この反射光とその周囲部分の色の差異が明確になることが好ましく、周囲部分を構成するのは、シート搬送ラインの底板、搬送ラインに付属されてシートの搬送方向を規定するための搬送ガイド、または搬送ピンなどの部材であり、これらの各部材を黒色、褐色、暗紫色、暗青色、暗緑色などの色にしておくことが好ましく、中でも艶消しの黒色が最も好ましいと考えられる。このようにＰＴＰシート１２を搬送するラインにおけるＰＴＰシート１２の周囲色も好ましい色とすることで測定精度を向上させることができる。
【００２０】
次に本実施形態の装置において画像処理装置５は、中央演算装置（ＣＰＵ）２０とハードディスク等の記憶装置２１とメモリ２２とカメラ接続用ポートフレームメモリボード２３と入出力コントローラ２５とを具備するパーソナルコンピュータから構成されるとともに、画像処理装置５に接続されたプログラマブルコントローラ（ＰＬＣ）７とともに協同して照明装置１の輝度を調整できるとともに、ＣＣＤカメラ３が捕らえた搬送ライン上のＰＴＰシート１２の裏面からの反射光に基づく画像イメージデータの生成と分析ができるように構成されている。
【００２１】
以下にこの画像処理装置５の機能について説明する。
画像処理装置５はＣＣＤカメラ３が撮像したＰＴＰシート１２の特定の位置の輝度を検査毎に測定する機能を有している。ＣＣＤカメラ３による輝度の測定は常に同じ範囲で行われるように構成され、例えば３０画素×３０画素の９００画素で行われ、１画素毎の輝度レベル積算値を面積（９００画素）で除算することで平均輝度を例えば白黒２５６階調で算出できるように構成されている。
画像処理装置５ではＰＴＰシート１２を検査する環境の温度変化、照明装置１の温度変化、照明装置１の経時変化で照明の明るさが変動した場合であっても、これらの変動要因を削除して正確な検査ができるような光源輝度補正手段が備えられている。
【００２２】
例えば、搬送ラインにおいて被測定物であるＰＴＰシート１２の背景となる部分は暗色としておくが、ＣＣＤカメラ３が撮像する範囲の隅の一部分を白色とするか白色板を取り付けておき、この輝度測定用の白板からの輝度データをＰＴＰシート１２の検査の度に測定する。この白板の輝度を例えば白黒２５６階調で表示しその値を逐一記憶し、変化した場合に照明用電源２から各照明灯１０に送る電圧を調整し、白板の輝度が常に同じになるように制御する。
即ち、各照明灯１０に組み込まれている光源としてのＬＥＤ発光素子に加える電圧レベルの調整を行い、検査対象の複数のＰＴＰシート１２のいずれを検査する場合においてもできるだけ同じ強さの光を照射できるように構成されている。例えば経時的にＬＥＤの発光効率が低下してＰＴＰシートの検査時の輝度が低下し始めたならば、輝度が規定の値に戻るようにＬＥＤ光源に付加する電圧を上昇させて調整する。この処理により、常に検査対象物としてのＰＴＰシート１２に規定の近赤外光あるいは赤外光を照射できる。
より具体的には照明装置１に照明用電源２から印加する電圧を調整することにより、照明装置１から照射できる光の制御を行って輝度を調整できる。なお、照明装置１からの発光制御により輝度を調整するよりも、制御装置５において画像イメージデータを処理する上で輝度変換した方が有効的な場合は、輝度変換機能を使用して輝度調整しても良し、それらを併用しても良い。
【００２３】
搬送ライン上を移動するＰＴＰシート１２はその位置が搬送方向Ｒに対して平行な方向であるＸ方向、搬送方向に直角な方向であるＹ方向、及びＰＴＰシート１２の中心部を基点とする時計回り方向のθ方向にそれぞれ位置ずれを発生するおそれがあるので、これらを個々に調整してから検査する必要がある。Ｘ方向とＹ方向並びにθ方向の補正は、搬送ラインに付属される位置規定板や位置規制ピンなどを用いてある程度行うことができるが、より正確な位置決めができるように本実施形態では画像処理装置５で位置補正できるように位置補正機能が備えられている。例えば画像処理装置５でＸ方向とＹ方向の位置調節を行うには、予めトリミングされて形状が規定されたＰＴＰシート１２であるならば、カバーフィルム１７のエッジの位置をその背景の黒色と区別して検出し、画像処理装置５において予め入力されたＰＴＰシート１２の大きさを基に、Ｘ方向移動とＹ方向移動させて位置規定ができる。
ここでＰＴＰシート１２の背景の黒色とは、シート搬送ラインの周囲部分を構成するのは、シート搬送ラインの底板、搬送ラインに付属されてシートの搬送方向を規定するための搬送ガイド、または搬送ピンなどの種々の部材であり、これらの各部材を黒色、褐色、暗紫色、暗青色、暗緑色などの暗色系の色にしておくことが好ましく、中でも艶消しの黒色が最も好ましいと考えられる。このようにＰＴＰシート１２を搬送するラインにおけるＰＴＰシート１２の周囲色も好ましい暗色系の色とすることで測定精度を更に向上させることができる。
【００２４】
次に、θ方向の角度制御は例えば以下のようにして行う。
ＰＴＰシート１２において、ある一定の２点の間隔を定め、水平なエッジ２点を検出し、２点のＹ座標を基に三角形の高さを算出し、先の２点のＹ座標を基に求めた三角形の高さを、先のある一定の２点の間隔で除算し、アークタンジェントの値を算出すればθ方向の角度補正値が算出できるので、このθ方向角度補正値に基づいてＣＣＤカメラ３から得られた入力画像を回転させることでＰＴＰシート１２を搬送ラインの搬送方向Ｒに対して垂直な画像に変換できる。
これら補正後の画像を囲む最小矩形を抽出し、基点（本実施形態では最小矩形の左上の点）から予め設定された座標に検査領域を設定することでＰＴＰシート１２において常に一定の領域を検査対象とすることができる。例えば、図４（Ｂ）に示すように後述するＰＴＰシート３０の一辺の延長線Ｅと他の辺の延長線Ｆを描き、その交点Ｇを基点とすることができる。ここで、矩形枠状の予めカッタで切断されてトリミングされたＰＴＰシート１２あるいは後述のＰＴＰシート３０は大きさが決まっているので、その大きさの域内に画像処理装置５での画像イメージデータが存在すれば良いが、トリミング時の不良でＰＴＰシートの外周部に一部凸部や凹部が形成されている不良などは画像処理装置５でのこの枠に沿わせたカバーフィルム１７の周縁部分の輝度検査で不良を検知することができる。
【００２５】
前記照明装置１により照明されたカバーフィルム１７からの赤外光を選択的に撮像する手段として本実施の形態ではＣＣＤカメラ３の前に赤外光のみを選択的に透過させるフィルタ２７が取り付けられている。ただし、カバーフィルム１７からの赤外光を選択的に撮像するための手段はこのフィルタに限るものではない。また、フィルタとしてこの他に、撮像した画面の演算方法についても特に先の説明の方法に限定するものではないが、得られた映像の反射の強い部分（白）と反射の弱い部分（黒）を強調する画像処理フィルタ、微細な欠陥を安定して検出するエッジフィルタ、微分フィルタ等を画像処理装置５において適宜用いて画像処理を行うことが好ましい。
【００２６】
画像処理装置５では、画像イメージデータに基づいて得られた映像の反射の強い部分（白）と反射の弱い部分（黒）の境界が出た部分の数をカバーフィルム１７のシール部ｂにおいてはシール不良、傷、しわ、汚れなどのシール欠陥部、換言すると画像処理装置で生成された画像イメージデータの画素欠陥部の数として検出し、前記非シール部ａにおいては非シール部自体の傷、しわなどの不良部、換言すると画像処理装置で生成された画像イメージデータの画素欠陥部の数として検出する検出手段が画像処理装置５に備えられている。
【００２７】
ＣＣＤカメラ３により取り込まれた画像は例えば２５６階調の白黒多値画像である。この画像のままでは微細な欠陥の検出が難しく、少しの輝度変化を生じても検出精度が変動するおそれがある。従って画像処理装置５に画像強調フィルタ、エッジフィルタ、微分フィルタ等を設けておき、これらを併用することで僅かな輝度変化でも安定検出する事が出来る。
例えばカバーフィルム１７に傷が存在している箇所をＣＣＤカメラ３で撮像し、微分フィルタを用いると、傷の内部分は黒く、傷のある部分は白くなるように画像イメージデータにおいて強調表示できる。また、強調フィルタを用いることで、画像イメージデータにおいて白表示の部分と黒表示の部分を２５６階調に沿って強調して際立つようにすることができる。
【００２８】
上記フィルタ処理した画像イメージデータを適正な二値化閾値で二値化する場合、或いは輝度を積算する場合、ＰＴＰシート１２のカバーフィルム１７における領域を細分化し誤検出を防止することが望ましい。その一例については後述する。このカバーフィルム１７の適度に細分化した領域毎に検出画素数の判定、輝度積算を行う。或いは欠陥画素数を検出する場合は一定以上欠陥画素が連続したものでないと不良判定しないものとすることが好ましい。例えば、カバーフィルム１７の一部にゴミが付着している場合、単に一部の欠陥画素が存在するのみで不良品と判定すると、ゴミが付着した良品のＰＴＰシート１２を不良品と判別していまうおそれを有する。この場合に画像処理装置５にＣＣＤカメラ３から入力され生成された画像イメージデータの検出画素において一定の数の、例えば数個〜１０個程度の欠陥画素数では不良と判定しないようにすれば、ゴミに伴う検査不良の発生数を少なくすることができる。
以上により二値化による欠陥画素数の判定では、ノイズ成分（欠陥以外で検出する白成分）の誤検出を防止する事ができる。
【００２９】
次に本実施形態ではカバーフィルム１７の斜め方向±１５度の範囲から光を入射させ、カバーフィルム１７の直上側に位置するＣＣＤカメラ３で撮像しているのでハレーションを起こさない。また、カバーフィルム１７の斜め方向±１５度の範囲から光を入射させることで、カバーフィルム１７に傷があった場合、影ができやすいので傷の検出精度が向上する。また、カバーフィルム１７と照明灯１０との間の距離を２０〜６０ｍｍと適正な距離としているのでカバーフィルム１７の全体を適度に均一に照らすことができ先の影の確実な生成もあって傷の発見を精度良く確実に検知できる。
【００３０】
図４は検査対象物であるＰＴＰシート３０において検査対象領域を複数設定した場合の一例を示す。
この例のＰＴＰシート３０は、先の例のＰＴＰシート１２の場合と同様に、透明のフィルム部３３と、その裏面側に開口部３５を設けて該フィルム部３３に間欠的に形成された１０個の透明のポケット部３６と、前記ポケット部３６の開口部３５を塞ぐように前記フィルム部３３の裏面側にシールされてなるアルミニウム箔からなるカバーフィルム３７とから構成されている。また、５個ずつ２列、合計１０個形成されたポケット部３６に対して、２つのポケット部３６毎にこれらを仕切るようにミシン目部３８が形成されている。また、ＰＴＰシート３０は平面視長方形状に形成され、各角部はラウンドカットされたアール部３９とされている。
この構成のＰＴＰシート３０に対し、検査対象領域として、平面視横長の長方形状のＰＴＰシート３０においてその幅方向、換言するとミシン目部３８に平行な方向に伸びる細長い矩形状の第１の領域４０をポケット部３６、３６の両側に規定する。また、これらの第１の領域４０は先のミシン目部３８を挟むようにも設置する。次に第２の領域４１として各ポケット部３６の両側をＰＴＰシート３０の幅方向両側から挟むように細長い矩形状の領域を規定する。
【００３１】
これらの各領域４０…、４１…を含めてＣＣＤカメラ３は一度にＰＴＰシート３０の裏面側全部を撮像できるので、ＣＣＤカメラ３が撮像する画像イメージデータにおいて図４（Ｂ）に示した各領域４０…、４１…に対応する画素においてそれぞれ９００画素程度で先に説明した場合と同様の画像処理を行えばよい。
次に、カバーフィルム３７においてポケット部３６の周縁部近傍部分に矩形状の検査用の領域４５を規定し、ポケット部３６の内側の開口部に対応するカバーフィルム３７の非シール部ａについてさきの領域４５と同じ面積の矩形状の検査用の領域４６を規定し、両方の領域４５、４６の輝度の積算値の比較を行い、検査することもできる。ここでシール部ｂについてはシールのためのローレット状の凹凸部などが存在すると、反射光が散乱するので輝度の積算値は非シール部よりも高くなる。
これにより、例えばシール部の領域４５の輝度の積算値が８００００カウントであるのに対し被シール部の領域４６の輝度の積算値が２００００カウントである場合、これらの差異の６００００カウントが大きい場合は良品と見立て、差異が少なくなってある規定値よりも小さくなると、例えば４００００カウントよりも小さい、３００００カウント等になると不良品と判定して検査することもできる。
【実施例】
【００３２】
「実施例１」
ＣＣＤカメラとして赤外光選択透過フィルタを取り付けた１５０万画素の市販品のカメラを用い、照明灯からの照射波長及び照射角度に関する試験を行った。ＰＴＰシートの裏面にシールするアルミニウム箔としてアルミニウム箔の表面に紺色の印刷を文字印刷したもの（市販バファリン：ライオン（株）市販相当品）を用い、搬送ラインにおけるＰＴＰシート周囲のライン底板、搬送ピンなどの各部材の背景色は全て黒色に統一した。ＣＣＤカメラが捕らえた画像の演算処理はポケット部を二値化処理し、シール部は輝度処理とした。
また、照明装置の構成は、４本の照明灯を平面視矩形状に配置する構成とし、搬送方向に直交配置する２本の照明灯を長さ１５０ｍｍとし、搬送方向に平行に配置する２本の照明灯を長さ８５ｍｍとした。これらの照明灯は搬送ライン上の商品の更に上方３ｃｍの位置に等間隔で平面視図２（Ａ）に示すように配置している。
光源からの照射光波長として、波長６００ｎｍ〜１１００ｎｍの範囲のものを選択的に用いて判定した。その結果を表１に示す。
【００３３】
「表１」
波長（ｎｍ）  600   650   700   750   800   850   900   950   1000  1100
検査精度      ×    ×    △    △    ○    ◎    ○    △     △    ×
【００３４】
表１に示す７００ｎｍの波長光では紺色の文字が消えなくて残っていまい、文字も欠点として一部計測してしまう傾向となる。また、波長８００ｎｍ以上の波長光では紺色の文字を画像上から完全に消すことができ、印刷以外の欠陥を判別できるようになる。次に、波長が９５０ｎｍを超えるようになると画像データが暗くなりすぎる傾向となり、印刷以外の欠陥が見え難くなり、１１００ｎｍ以上の波長光では画像が暗くなりすぎて、ＰＴＰシートの欠陥が全く確認できなくなる。この試験においては適度な明るさで紺色の文字も完全に消すことができる例として８５０ｎｍの波長光が最も好ましい値であった。
表１に示すこれらの試験結果から明らかなように、光源として用いる光の波長は７００ｎｍ以上かつ１０００ｎｍ以下の範囲が好ましく、８００ｎｍ以上、９００ｎｍ以下の範囲がより好ましいことが判明した。
【００３５】
次に、波長８５０ｎｍの光源を用い、光源のＰＴＰシートに対する照射角度を０度、＋３０度、＋６０度、＋９０度にそれぞれ設定して上記と同じ検査を行った。その結果を表２に示す。
「表２」
照射角度（＋）  ０度  ＋１５度  ＋３０度  ＋４５度  ＋６０度  ＋９０度
検査精度        ○       ○        ×        ×        ×        ×
照射角度（−）  ０度  −１５度  −３０度  −４５度  −６０度  −９０度
検査精度        ○       ○        △        △        △        ×
【００３６】
照射角度において＋３０度以上のものでは暗すぎてＰＴＰシートの画像が見えないため×印で示し、−３０度〜−６０度の場合は適度に明るいが明るすぎてＰＴＰシートの画像が見辛く、傷を発見し難く、−９０度では光源が真下を照射するため、シート表面の明るさが不均一となる。
この試験結果からＰＴＰシートに対する照明からの照射角度は±１５度の範囲が好ましいと思われる。
【００３７】
「実施例２」
図４に示すＰＴＰシートにおいてポケット部の開口部に位置する１０ｍｍ×２ｍｍの細長い区画と、それに隣接するシール部に位置する同じ面積の区画の輝度の積算値を９個の試料について算出し、シール浮きの比較を行う検査を行った。その結果を以下の表３に示す。
「表３」
試料Ｎｏ.                １    ２    ３    ４    ５    ６    ７    ８    ９
ポケット部積算輝度（万） ５    ５    ５    ４    ４    ４    ４    ３    ３
シール部積算輝度（万）   ９    ８    ７  １０    ８    ７    ６    ７    ６
積算輝度差（万）         ４    ３    ２    ６    ４    ３    ２    ４    ３
良否判定                 ○    ×    ×    ○    ○    ×    ×    ○    ×
表３に記載の如く積算輝度においてはポケット部の積算輝度よりもシール部積算輝度の方が大きく、これはシール部にシールの際に形成されるローレット状の凹凸を有すると、光が反射される結果としてシールしていないポケット部よりも積算輝度は高くなるので、これらの差異をあるしきい値よりも高いか、低いかで良品と不良品を判別できるようになる。この試験では積算輝度としての差異を４万未満とした場合に不良品と見て判別したが、この試験で判別した不良品を個々に取り出して目視検査したところ、これらの不良品にはいずれも確かにシール浮きの発生部分を確認できた。
即ちこの試験結果から、シールしていないポケット部の反射率の積算輝度を指標としてシールしてあるローレット状の凹凸部を有する領域の積算輝度と比較することで、シール浮き部分の存在を確実に発見できることが判明した。
【００３８】
「実施例３」
次に、各照明灯に光源として、波長８５０ｎｍのＬＥＤストロボ照明を用い、照射角度を水平よりも上向きに１５゜に設定し、ＣＣＤカメラは先の実施例１と同等の赤外光透過フィルタ付きのものを用い、演算処理等、その他の条件は同じとして試験した。用いた試料は表３に示す積算輝度差４万の試料と同じ条件である。
この条件にて図１に示す装置で検査したところ、ＰＴＰシートのポケット部およびシール部分において（ａ）カバーフィルムのアルミニウム面のしわ、（ｂ）カバーフィルムのアルミニウム面の傷、（ｃ）カバーフィルムのアルミニウム面の切れ、（ｄ）シール浮き（カバーフィルムと樹脂製のフィルム部との接着不良）、（ｅ）シールずれ（カバーフィルムと合成樹脂製のフィルム部とのずれ）、（ｆ）打ち抜き不良に起因するもの（シートの変形例）ミシン線のずれについて評価を行った結果、良品と不良品の判別は良好であった。また、不良については全て検知することができ、かつ誤排出率は１％以下であり、良好な値が得られた。
【００３９】
「実施例４」
先の実施例においてＰＴＰシートの搬送ラインにおける背景色を黒色から白色に変えた結果（搬送ライン底面の色、排出ピンの色等、ＰＴＰシート以外の搬送ラインの各部の色を全て白色に変えた場合）不良品誤排出率が１００％に上昇し、同様に背景色を黒色から灰色に変えた結果、不良品誤排出率が６０％に上昇し、搬送ライン背景色とシート色の濃淡差の影響が試験結果に影響を与えた。
【図面の簡単な説明】
【００４０】
【図１】図１は本発明に係るＰＴＰシートの検査装置の一実施形態を示す構成図。
【図２】図２は同実施形態の検査装置でＰＴＰシートを検査する場合の照明装置とＰＴＰシートの位置関係を示すもので、図２（Ａ）は平面図、図２（Ｂ）は側面図。
【図３】図３は本発明に係る検査装置で検査対象となるＰＴＰシートの一構成例を示すもので、図３（Ａ）は平面図、図３（Ｂ）は側面図、図３（Ｃ）は裏面側斜視図。
【図４】図４は本発明に係る検査装置で検査対象となるトリミング済みのＰＴＰシートの構成の他の例を示すもので、図４（Ａ）は裏面図、図４（Ｂ）はカバーフィルムを除去した状態の裏面図。
【符号の説明】
【００４１】
１…照明装置、２…照明用電源、３…ＣＣＤカメラ（撮像手段）、５…画像処理装置、１０…照明灯（光源）、１０Ａ…発光面、１２、３０…ＰＴＰシート（被検査物）、
１３、３３…フィルム部、１５、３５…開口部、１６、３６…ポケット部、１７、３７…カバーフィルム。
【図１】
2005291939.tif 000003
【図２】
2005291939.tif 000004
【図３】
2005291939.tif 000005
【図４】
2005291939.tif 000006